(57)【要約】【課題】遮熱機能を有して衣料を着用した人の肌表面の温度を下げることができ、かつ汗の透過発散性に優れた衣料用生地および衣料を提供する。【解決手段】生地１の表裏の一側面に親水性編地２を有し、親水性編地２は、親水性繊維中に遮熱材料を含ませた編糸で編成し、生地の表裏の他側面に親水性編地２から突出する複数の突起３を有し、突起３は疎水性繊維の編糸で編成し、突起３のそれぞれが親水性編地表面に編み立てられ、突起３の相互間に吸汗用の溝４を有する。【選択図】図１
0003225306.tif 000002
【実用新案登録請求の範囲】
【請求項１】
生地の表裏の一側面に親水性編地を有し、親水性編地は、親水性繊維中に遮熱材料を含ませた編糸で編成し、
生地の表裏の他側面に親水性編地から突出する複数の突起を有し、突起は疎水性繊維の編糸で編成し、突起のそれぞれが親水性編地表面に編み立てられ、突起の相互間に吸汗用の溝を有することを特徴とする衣料用生地。
【請求項２】
突起は、親水性編地表面上で台形、円形、楕円形、菱形または複数の楕円を重ねた形の何れかの形状をなすことを特徴とする請求項１に記載の衣料用生地。
【請求項３】
親水性編地は、編糸を平編に編み立てた平編地であることを特徴とする請求項１または２に記載の衣料用生地。
【請求項４】
親水性編地の編糸が含む遮熱材料が、セラミック粉末であることを特徴とする請求項１から３の何れか１項に記載の衣料用生地。
【請求項５】
親水性編地の編糸は、繊維原料の溶融液に遮熱材料のセラミック粉末を加えて紡糸したことを特徴とする請求項１から４の何れか１項に記載の衣料用生地。
【請求項６】
親水性編地は、改質ポリエステル繊維または吸水性天然繊維の編糸で編成し、
突起は、ポリプロピレン繊維の編糸で編成したことを特徴とする請求項１から４の何れか１項に記載の衣料用生地。
【請求項７】
親水性編地を構成する改質ポリエステル繊維または吸水性天然繊維と、突起を構成するポリプロピレン繊維は、いずれも繊度が５０−２００Ｄであることを特徴とする請求項１から４の何れか１項に記載の衣料用生地。
【請求項８】
請求項１から７の何れか１項に記載の衣料用生地で制作してなることを特徴とする衣料。
【考案の詳細な説明】
【技術分野】
【０００１】
本考案は、生地の表裏に異なる機能を有する衣料用生地および衣料に関する。
【背景技術】
【０００２】
一般の人々の生活水準が高くなるにつれて、Ｔシャツ、パーカー、ズボン等の衣料において機能性を有するものがますます人気を集めている。特に夏場の衣料には、透湿性、遮熱性、放熱性、吸汗速乾性等の機能が重要であり、これらの機能が着心地に影響する。
【０００３】
夏の衣料に使用される衣料用生地にポリエステル系のニット生地がある。ポリエステルは、綿などの天然繊維に比べると軽く、手触りはさらっとした感じなので、夏のニット衣料によく使われている。また、吸湿性が低いので、汗をかいてもすぐ乾き、スポーツウェアなどによくつかわれる。このような生地には、例えば特許文献１に記載するものがある。
【先行技術文献】
【特許文献】
【０００４】
【特許文献１】特開２０１１−２２６０２６
【考案の概要】
【考案が解決しようとする課題】
【０００５】
上述した遮熱性、放熱性、吸汗速乾性等の機能はコーティング方式で実現することが多い。しかしこの方法では、生地の風合いが悪くなる場合があり、洗濯回数が増えるにつれて効果が下がる場合がある。また、肌に直接触れる部位に吸水性の生地を使用して衣料を制作すると、吸収した汗を外部に導出できず、衣料が肌にベタベタして着心地が悪くなる。
【０００６】
本考案は上記課題を解決するものであり、遮熱機能を有して衣料を着用した人の肌表面の温度を下げることができ、かつ汗の透過発散性に優れた衣料用生地および衣料を提供することを目的とする。
【課題を解決するための手段】
【０００７】
上記課題を解決するために、本考案に係る衣料用生地は、生地の表裏の一側面に親水性編地を有し、親水性編地は、親水性繊維中に遮熱材料を含ませた編糸で編成し、生地の表裏の他側面に親水性編地から突出する複数の突起を有し、突起は疎水性繊維の編糸で編成し、突起のそれぞれが親水性編地表面に編み立てられ、突起の相互間に吸汗用の溝を有することを特徴とする。
【０００８】
本考案に係る衣料用生地において、突起は、親水性編地表面上で台形、円形、楕円形、菱形または複数の楕円を重ねた形の何れかの形状をなすことを特徴とする。
【０００９】
本考案に係る衣料用生地において、親水性編地は、編糸を平編に編み立てた平編地であることを特徴とする。
【００１０】
本考案に係る衣料用生地において、親水性編地の編糸が含む遮熱材料が、セラミック粉末であることを特徴とする。
【００１１】
本考案に係る衣料用生地において、親水性編地の編糸は、繊維原料の溶融液に遮熱材料のセラミック粉末を加えて紡糸したことを特徴とする。
【００１２】
本考案に係る衣料用生地において、親水性編地は、改質ポリエステル繊維または吸水性天然繊維の編糸で編成し、突起は、ポリプロピレン繊維の編糸で編成したことを特徴とする。
【００１３】
本考案に係る衣料用生地において、親水性編地を構成する改質ポリエステル繊維または吸水性天然繊維と、突起を構成するポリプロピレン繊維は、いずれも繊度が５０−２００Ｄであることを特徴とする。
【００１４】
本考案に係る衣料は、上記の何れかの衣料用生地で制作してなることを特徴とする。
【考案の効果】
【００１５】
以上のように、本考案に係る衣料用生地および衣料は、肌面と接触する側の親水性編地の表面に、疎水性繊維の編糸で編み立てた突起を有し、突起の相互間に吸汗用の溝を有する。
【００１６】
この疎水性繊維からなる疎水性の突起は水分または汗を吸収せず、水分または汗は隣接する二つの疎水性の突起間の吸汗用の溝において親水性編地に吸収され、疎水性の突起と吸汗用の溝が肌表面の汗を親水性編地まで導出する。よって、生地に吸汗速乾の特性を与え、肌面にさわやかで着心地の良さを維持できる。そして、親水性編地は、遮熱材料を含むことで、外部熱量の伝導を遮断することができて、皮膚の表面の温度を下げる。
【図面の簡単な説明】
【００１７】
【図１】本考案の実施の形態における衣料用生地を示す平面図
【図２】同実施の形態における衣料用生地の編組織を示す断面の模式図
【考案を実施するための形態】
【００１８】
以下、本考案の実施の形態を図面に基づいて説明する。本実施の形態は、本考案に係る実施の形態の一つの例示にすぎず、本考案に係る全ての実施の形態ではない。本実施の形態に関連し、創造的な作業を伴わないで得られるすべての他の実施の形態が本考案の保護範囲に属している。
【００１９】
本考案に係る複数の衣料用生地のうちの一つの衣料用生地を本実施の形態において説明する。この衣料用生地は、夏用で、特にアウトドアの機能性ウェアに適しており、適用可能な衣料のアイテムにはＴシャツ、パーカー、ズボンなどがある。
【００２０】
図１において、衣料用生地１は、生地の表裏の一側面をなす生地表側に親水性編地２を有し、他側面をなす生地裏側に親水性編地２から突出する複数の突起３を有している。
【００２１】
親水性編地２は、親水性繊維中に遮熱材料を含ませた編糸で編成したものであり、編糸が含む遮熱材料はセラミック粉末である。
【００２２】
突起３は、疎水性繊維の編糸で編成し、ここではポリプロピレン繊維の編糸で編成したものであり、突起３のそれぞれが親水性編地表面に独立して編み立てられ、突起３の相互間に吸汗用の溝４を有している。
【００２３】
突起３は、親水性編地表面上において台形、円形、楕円形、菱形または複数の楕円を重ねた形の何れかの形状をなす。
【００２４】
親水性編地２は、編糸を平編に編み立てた平編地である。親水性編地２の編糸は、改質ポリエステル繊維または吸水性天然繊維からなる。吸水性天然繊維の場合は遮熱材料のセラミック粉末を繊維中に練り込み、改質ポリエステルの場合は繊維原料の溶融液に遮熱材料のセラミック粉末を加えて紡糸する。
【００２５】
このセラミックス粉末はジルコニウム、二酸化ケイ素、チタニアなどの混合物である。セラミックス粉末の粒子径は１μｍ−３μｍであり、粒状が過大であると生地全体の風合いに悪影響を及ぼす。粒状が過小であると遮熱、冷感、紫外線対策に耐えられないことがある。
【００２６】
親水性編地２を構成する改質ポリエステル繊維または吸水性天然繊維と、突起３を構成するポリプロピレン繊維は、いずれも繊度が５０−２００Ｄである。この範囲において繊度は任意に設定できる。
【００２７】
ここでは、生地の快適さをアップさせるために、突起３のポリプロピレン繊度は７５Ｄ（デジテックス）が一番良い。
【００２８】
改質ポリエステルは吸汗速乾ポリエステルであり、ポリエステルの溶融液に吸湿性の機能をあたえる改質剤のペレットを加え、異型断面の孔の空いたノズルを用いて紡糸して作製する。あるいは、ポリエステルフィラメントの後加工過程で、フィラメントの表面に吸汗速乾機能を有する助剤を付着させて作製する。
【００２９】
ノズルの異型断面の孔の形状としては、クロス型、二重クロス型，工型，十字型などがある。
【００３０】
ここでは、改質ポリエステル、吸湿性天然繊維の繊度は７５Ｄ（デジテックス）が一番良い。
【００３１】
このように、本実施の形態に係る衣料用生地を用いた衣料、例えばＴシャツ、トレーナー、ズボンなどでは、肌面と直接に接触する突起３が疎水性を有し、突起３が疎水性繊維の編糸を親水性編地２の編地表面から突出して編み立てられてなり、突起３の相互間に吸汗用の溝４を有する。
【００３２】
この疎水性繊維からなる疎水性の突起３は水分または汗を吸収せず、水分または汗は隣接する二つの疎水性の突起３の間の吸汗用の溝４を通じで吸収され、疎水性の突起３と吸汗用の溝４が肌表面の汗を親水性編地２まで導出する。よって、生地１に吸汗速乾の特性を与え、肌面にさわやかで着心地の良さを維持できる。そして、親水性編地２は、遮熱材料を含むことで、外部熱量の伝導を遮断することができて、皮膚の表面の温度を下げる。
【００３３】
よって、本考案の衣料は、着用者が運動中に汗をかいても、服は吸汗速乾の機能があるので肌にベタベタしない。親水性編地２の遮熱材料で着用者の体温を下げることができ、蒸し暑くない。
【００３４】
上述した実施の形態は、本考案のより良い実施例及び用いられた技術原理のみを説明している。本考案はこの特定の実施形態に限定されるものではなく、当業者によって可能な様々な変更、再調整、代替は、本実用新案の保護範囲から逸脱するものではない。したがって、本考案は、本実用新案の構想から逸脱しない、より多くの他の等価実施形態を含むことができ、本実用新案の範囲は添付の実用新案登録請求の範囲によって決定される。
【符号の説明】
【００３５】
１    衣料用生地
２    親水性編地
３    突起
４    溝
【図１】
0003225306.tif 000003
【図２】
0003225306.tif 000004